(57)【要約】【課題】光ディスク記録読取装置において、記録光のストラテジをより適切に設定して、記録品質をより一層向上する。【解決手段】光ディスク記録読取装置は、ストラテジ設定動作において、まず、異なるピークパワーで記録品質を評価して、最も優れた記録品質のピークパワーに変更し（＃２）、次に、異なるイレースパワーで記録品質を評価して、最も優れた記録品質のイレースパワーに変更し（＃３）、再び、異なるピークパワーで記録品質を評価して、最も優れた記録品質のピークパワーに変更し（＃４）、次に、異なるトップパルス幅で記録品質を評価して、最も優れた記録品質のトップパルス幅に変更し（＃５）、次に、異なるマルチパルス幅で記録品質を評価して、最も優れた記録品質のマルチパルス幅に変更し（＃６）、最後に、異なるクーリングパルス幅で記録品質を評価して、最も優れた記録品質のクーリングパルス幅に変更する（＃７）。【選択図】図３
2010211840.tif 000002
【特許請求の範囲】
【請求項１】
光ディスクに記録光を照射して、前記光ディスクに周囲と異なる光の反射を起こす記録マーク及び周囲と同じ光の反射を起こす記録スペースを形成することにより、前記光ディスクに記録データを記録する記録手段と、
前記光ディスクに読取光を照射すると共に前記光ディスクからの反射光を受光して、その受光強度に対応する受光信号を出力する読取手段と、
前記記録光のストラテジを設定するストラテジ設定手段とを備え、
前記記録光は、前記記録マークを形成するためのマーク形成光と、前記光ディスクに既に形成されている前記記録マークを消去して前記光ディスクに前記記録スペースを形成するためのイレース光とを含み、前記マーク形成光は、パルス変調されたパルス変調光であり、先頭のトップパルス、該トップパルスに続くマルチパルス、及び最後尾のクーリングパルスを含み、
前記ストラテジ設定手段は、前記記録光のストラテジとして、前記マーク形成光のトップパルス及びマルチパルスのパワーであるピークパワーと、前記イレース光のパワーであるイレースパワーと、前記トップパルスのパルス幅であるトップパルス幅と、前記マルチパルスのパルス幅であるマルチパルス幅と、前記クーリングパルスのパルス幅であるクーリングパルス幅とを設定し、
前記記録手段は、前記記録光として、前記ストラテジ設定手段により設定されたストラテジの記録光を前記光ディスクに照射して、前記光ディスクに記録データを記録する光ディスク記録読取装置において、
前記ストラテジ設定手段は、
前記記録光のストラテジを予め定められた所定のストラテジに設定するストラテジ初期設定ステップと、
前記ストラテジ初期設定ステップにより設定されたストラテジのうちのピークパワーを複数の異なるピークパワーに変更して、前記記録手段によりテスト用の記録データを記録し、これらのテスト用の記録データを前記読取手段により読取って、そのときに前記読取手段から出力される受光信号に基いて記録品質を評価して、最も優れた記録品質が得られるピークパワーを求め、前記ストラテジ初期設定ステップにより設定されたストラテジのうちのピークパワーを、前記最も優れた記録品質が得られるピークパワーに変更するピークパワー変更ステップと、
前記ピークパワー変更ステップで変更された後のストラテジのうちのイレースパワーを複数の異なるイレースパワーに変更して、前記記録手段によりテスト用の記録データを記録し、これらのテスト用の記録データを前記読取手段により読取って、そのときに前記読取手段から出力される受光信号に基いて記録品質を評価して、最も優れた記録品質が得られるイレースパワーを求め、前記ピークパワー変更ステップで変更された後のストラテジのうちのイレースパワーを、前記最も優れた記録品質が得られるイレースパワーに変更するイレースパワー変更ステップと、
前記イレースパワー変更ステップで変更された後のストラテジのうちのピークパワーを複数の異なるピークパワーに変更して、前記記録手段によりテスト用の記録データを記録し、これらのテスト用の記録データを前記読取手段により読取って、そのときに前記読取手段から出力される受光信号に基いて記録品質を評価して、最も優れた記録品質が得られるピークパワーを求め、前記イレースパワー変更ステップで変更された後のストラテジのうちのピークパワーを、前記最も優れた記録品質が得られるピークパワーに変更するピークパワー再変更ステップと、
前記ピークパワー再変更ステップで変更された後のストラテジのうちのトップパルス幅を複数の異なるトップパルス幅に変更して、前記記録手段によりテスト用の記録データを記録し、これらのテスト用の記録データを前記読取手段により読取って、そのときに前記読取手段から出力される受光信号に基いて記録品質を評価して、最も優れた記録品質が得られるトップパルス幅を求め、前記ピークパワー再変更ステップで変更された後のストラテジのうちのトップパルス幅を、前記最も優れた記録品質が得られるトップパルス幅に変更するトップパルス幅変更ステップと、
前記トップパルス幅変更ステップで変更された後のストラテジのうちのマルチパルス幅を複数の異なるマルチパルス幅に変更して、前記記録手段によりテスト用の記録データを記録し、これらのテスト用の記録データを前記読取手段により読取って、そのときに前記読取手段から出力される受光信号に基いて記録品質を評価して、最も優れた記録品質が得られるマルチパルス幅を求め、前記トップパルス幅変更ステップで変更された後のストラテジのうちのマルチパルス幅を、前記最も優れた記録品質が得られるマルチパルス幅に変更するマルチパルス幅変更ステップと、
前記マルチパルス幅変更ステップで変更された後のストラテジのうちのクーリングパルス幅を複数の異なるクーリングパルス幅に変更して、前記記録手段によりテスト用の記録データを記録し、これらのテスト用の記録データを前記読取手段により読取って、そのときに前記読取手段から出力される受光信号に基いて記録品質を評価して、最も優れた記録品質が得られるクーリングパルス幅を求め、前記マルチパルス幅変更ステップで変更された後のストラテジのうちのクーリングパルス幅を、前記最も優れた記録品質が得られるクーリングパルス幅に変更するクーリングパルス幅変更ステップと、を実行して前記記録光のストラテジを設定する、
ことを特徴とする光ディスク記録読取装置。
【請求項２】
前記ストラテジ設定手段は、
前記イレースパワー変更ステップにおいて、
前記読取手段から出力される受光信号のジッタに基いて記録品質を評価して、前記最も優れた記録品質が得られるイレースパワーを求める、
ことを特徴とする請求項１に記載の光ディスク記録読取装置。
【請求項３】
前記ストラテジ設定手段は、
前記イレースパワー変更ステップにおいて、
前記ピークパワー変更ステップで変更された後のストラテジのうちのイレースパワーを複数の異なるイレースパワーに変更して、各イレースパワーのストラテジで、前記記録手段によりテスト用の記録データの初回の記録を行うと共に少なくとも２回の上書き記録を行い、これらのテスト用の記録データを前記読取手段により読取って、そのときに前記読取手段から出力される受光信号のジッタに基いて記録品質を評価して、
１回目の上書き記録時のジッタが１２％未満で、初回の記録時のジッタ及び２回目の上書き記録時のジッタが１回目の上書き記録時のジッタよりも良いときのイレースパワーのうち、１回目の上書き記録時のジッタが最も良いときのイレースパワーを、前記最も優れた記録品質が得られるイレースパワーとする、
ことを特徴とする請求項２に記載の光ディスク記録読取装置。
【請求項４】
前記ストラテジ設定手段は、
前記トップパルス幅変更ステップにおいて、
前記読取手段から出力される受光信号のジッタ及び変調度に基いて記録品質を評価して、前記最も優れた記録品質が得られるトップパルス幅を求める、
ことを特徴とする請求項１に記載の光ディスク記録読取装置。
【請求項５】
前記ストラテジ設定手段は、
前記トップパルス幅変更ステップにおいて、
前記読取手段から出力される受光信号のジッタ及び変調度が最小となるときのトップパルス幅を、前記最も優れた記録品質が得られるトップパルス幅とし、
ジッタが最小となるときのトップパルス幅と変調度が最小となるときのトップパルス幅とが異なる場合には、ジッタが最小となるときのトップパルス幅を、前記最も優れた記録品質が得られるトップパルス幅とする、
ことを特徴とする請求項４に記載の光ディスク記録読取装置。
【請求項６】
前記ストラテジ設定手段は、
前記マルチパルス幅変更ステップにおいて、
前記読取手段から出力される受光信号のジッタ及び変調度に基いて記録品質を評価して、前記最も優れた記録品質が得られるトップパルス幅を求める、
ことを特徴とする請求項１に記載の光ディスク記録読取装置。
【請求項７】
前記ストラテジ設定手段は、
前記マルチパルス幅変更ステップにおいて、
前記読取手段から出力される受光信号のジッタ及び変調度が最小となるときのマルチパルス幅を、前記最も優れた記録品質が得られるマルチパルス幅とし、
ジッタが最小となるときのマルチパルス幅と変調度が最小となるときのマルチパルス幅とが異なる場合には、変調度が最小となるときのマルチパルス幅を、前記最も優れた記録品質が得られるマルチパルス幅とする、
ことを特徴とする請求項６に記載の光ディスク記録読取装置。
【請求項８】
前記ストラテジ設定手段は、
前記クーリングパルス幅変更ステップにおいて、
前記読取手段から出力される受光信号のアシンメトリに基いて記録品質を評価して、前記最も優れた記録品質が得られるクーリングパルス幅を求める、
ことを特徴とする請求項１に記載の光ディスク記録読取装置。
【請求項９】
前記ストラテジ設定手段は、
前記クーリングパルス幅変更ステップにおいて、
前記読取手段から出力される受光信号のアシンメトリが最小となるときのクーリングパルス幅を、前記最も優れた記録品質が得られるクーリングパルス幅とする、
ことを特徴とする請求項８に記載の光ディスク記録読取装置。
【発明の詳細な説明】
【技術分野】
【０００１】
本発明は、光ディスクに対して記録データの記録、読取を行う光ディスク記録読取装置に関するものである。
【背景技術】
【０００２】
従来から、光ディスク記録読取装置は、光ディスクに記録光を照射して、光ディスクに周囲と異なる光の反射を起こす記録マーク及び周囲と同じ光の反射を起こす記録スペースを形成することにより、光ディスクに記録データを記録するようになっている。記録マーク及び記録スペースは、光ディスクに照射された記録光によって、光ディスクの記録光の照射された箇所の記録層材質が相変化を起すことにより形成される。また、光ディスク記録読取装置は、光ディスクに読取光を照射すると共に光ディスクからの反射光を受光することにより、光ディスクからの反射光に基いて、光ディスクに形成されている記録マーク及び記録スペースを検出して、光ディスクに記録されている記録データを読取り、そして、光ディスクからの反射光の受光強度に対応した受光信号を出力するようになっている。
【０００３】
光ディスクに記録データを記録するための記録光（すなわち、記録マーク及び記録スペースを形成するための記録光）は、記録マークを形成するためのマーク形成光と、既に形成されている記録マークを消去して記録スペースを形成するためのイレース光とを含んでいる。また、マーク形成光は、パルス変調されたパルス変調光であり、先頭のトップパルス、トップパルスに続くマルチパルス、及び最後尾のクーリングパルスを含んでいる。
【０００４】
ところで、記録光のストラテジ（記録光のパワーやパルス変調に関する特質）が適切でないと、その記録光で記録した記録データの記録品質は劣悪なものとなる。すなわち、記録光のストラテジが適切でないと、その記録光で記録した記録データを読取るときに、記録マーク及び記録スペースを正確に検出することができず、記録データの再生品質が劣悪なものとなる。
【０００５】
記録光の適切なストラテジは、各製造メーカの光ディスクによって異なっている。このため、各光ディスクには、各製造メーカ毎に、適切であるとするストラテジを示す推奨ストラテジデータ（ＬＰＰデータやＡＤＩＰデータと呼ばれる）が予め記録されている。光ディスク記録読取装置は、光ディスクに記録データを記録するとき、光ディスクから推奨ストラテジデータを読取って、記録光のストラテジを、光ディスクから読取った推奨ストラテジデータの示すストラテジに設定したうえで、光ディスクに記録データを記録するようになっている。しかしながら、実際には、同じ製造メーカの光ディスクであっても、光ディスクや光ディスク記録読取装置の個体ばらつき、経時変化などのために、記録光の最適なストラテジは、光ディスクに記録されている推奨ストラテジデータの示すストラテジとは異なったものとなり、また、光ディスクに記録データを記録する都度、異なったものとなる。
【０００６】
そこで、このような光ディスク記録読取装置において、複数の異なるストラテジの記録光でテスト用の記録データを記録する共に、それらのテスト用の記録データを読取って、各ストラテジの記録光での記録品質を評価し、より優れた記録品質が得られるストラテジを求めて、記録光のストラテジをより適切に設定するようにしたものが種々提案されている（例えば特許文献１乃至特許文献５参照）。このような光ディスク記録読取装置では、記録品質の向上が期待される。
【先行技術文献】
【特許文献】
【０００７】
【特許文献１】特開２００６−９９９００号公報
【特許文献２】特開２００５−３８４７３号公報
【特許文献３】特開２００８−２３４７７６号公報
【特許文献４】特開２００８−２５７８１７号公報
【特許文献５】特開２００７−１５７１９６号公報
【発明の概要】
【発明が解決しようとする課題】
【０００８】
ところで、光ディスク記録読取装置では、記録品質の向上は重要な課題であり、従来から提案されている記録光のストラテジをより適切に設定するようにした種々の光ディスク記録読取装置よりも、より一層の、記録品質の向上が要望されている。この要望に応えるためには、記録光のストラテジをより適切に設定することが非常に重要な役割を担っており、記録光のストラテジをより適切に設定することが重要な課題となっている。
【０００９】
本発明は、上記課題を解決するためになされたものであり、記録光のストラテジをより適切に設定することができ、記録データの記録品質をより一層向上することができる光ディスク記録読取装置を提供することを目的とする。
【課題を解決するための手段】
【００１０】
上記目的を達成するために請求項１の発明は、光ディスクに記録光を照射して、光ディスクに周囲と異なる光の反射を起こす記録マーク及び周囲と同じ光の反射を起こす記録スペースを形成することにより、光ディスクに記録データを記録する記録手段と、光ディスクに読取光を照射すると共に光ディスクからの反射光を受光して、その受光強度に対応する受光信号を出力する読取手段と、記録光のストラテジを設定するストラテジ設定手段とを備え、記録光は、記録マークを形成するためのマーク形成光と、光ディスクに既に形成されている記録マークを消去して光ディスクに記録スペースを形成するためのイレース光とを含み、マーク形成光は、パルス変調されたパルス変調光であり、先頭のトップパルス、該トップパルスに続くマルチパルス、及び最後尾のクーリングパルスを含み、ストラテジ設定手段は、記録光のストラテジとして、マーク形成光のトップパルス及びマルチパルスのパワーであるピークパワーと、イレース光のパワーであるイレースパワーと、トップパルスのパルス幅であるトップパルス幅と、マルチパルスのパルス幅であるマルチパルス幅と、クーリングパルスのパルス幅であるクーリングパルス幅とを設定し、記録手段は、記録光として、ストラテジ設定手段により設定されたストラテジの記録光を光ディスクに照射して、光ディスクに記録データを記録する光ディスク記録読取装置において、ストラテジ設定手段は、記録光のストラテジを予め定められた所定のストラテジに設定するストラテジ初期設定ステップと、ストラテジ初期設定ステップにより設定されたストラテジのうちのピークパワーを複数の異なるピークパワーに変更して、記録手段によりテスト用の記録データを記録し、これらのテスト用の記録データを読取手段により読取って、そのときに読取手段から出力される受光信号に基いて記録品質を評価して、最も優れた記録品質が得られるピークパワーを求め、ストラテジ初期設定ステップにより設定されたストラテジのうちのピークパワーを、最も優れた記録品質が得られるピークパワーに変更するピークパワー変更ステップと、ピークパワー変更ステップで変更された後のストラテジのうちのイレースパワーを複数の異なるイレースパワーに変更して、記録手段によりテスト用の記録データを記録し、これらのテスト用の記録データを読取手段により読取って、そのときに読取手段から出力される受光信号に基いて記録品質を評価して、最も優れた記録品質が得られるイレースパワーを求め、ピークパワー変更ステップで変更された後のストラテジのうちのイレースパワーを、最も優れた記録品質が得られるイレースパワーに変更するイレースパワー変更ステップと、イレースパワー変更ステップで変更された後のストラテジのうちのピークパワーを複数の異なるピークパワーに変更して、記録手段によりテスト用の記録データを記録し、これらのテスト用の記録データを読取手段により読取って、そのときに読取手段から出力される受光信号に基いて記録品質を評価して、最も優れた記録品質が得られるピークパワーを求め、イレースパワー変更ステップで変更された後のストラテジのうちのピークパワーを、最も優れた記録品質が得られるピークパワーに変更するピークパワー再変更ステップと、ピークパワー再変更ステップで変更された後のストラテジのうちのトップパルス幅を複数の異なるトップパルス幅に変更して、記録手段によりテスト用の記録データを記録し、これらのテスト用の記録データを読取手段により読取って、そのときに読取手段から出力される受光信号に基いて記録品質を評価して、最も優れた記録品質が得られるトップパルス幅を求め、ピークパワー再変更ステップで変更された後のストラテジのうちのトップパルス幅を、最も優れた記録品質が得られるトップパルス幅に変更するトップパルス幅変更ステップと、トップパルス幅変更ステップで変更された後のストラテジのうちのマルチパルス幅を複数の異なるマルチパルス幅に変更して、記録手段によりテスト用の記録データを記録し、これらのテスト用の記録データを読取手段により読取って、そのときに読取手段から出力される受光信号に基いて記録品質を評価して、最も優れた記録品質が得られるマルチパルス幅を求め、トップパルス幅変更ステップで変更された後のストラテジのうちのマルチパルス幅を、最も優れた記録品質が得られるマルチパルス幅に変更するマルチパルス幅変更ステップと、マルチパルス幅変更ステップで変更された後のストラテジのうちのクーリングパルス幅を複数の異なるクーリングパルス幅に変更して、記録手段によりテスト用の記録データを記録し、これらのテスト用の記録データを読取手段により読取って、そのときに読取手段から出力される受光信号に基いて記録品質を評価して、最も優れた記録品質が得られるクーリングパルス幅を求め、マルチパルス幅変更ステップで変更された後のストラテジのうちのクーリングパルス幅を、最も優れた記録品質が得られるクーリングパルス幅に変更するクーリングパルス幅変更ステップと、を実行して記録光のストラテジを設定するものである。
【００１１】
請求項２の発明は、ストラテジ設定手段は、イレースパワー変更ステップにおいて、読取手段から出力される受光信号のジッタに基いて記録品質を評価して、最も優れた記録品質が得られるイレースパワーを求めるものである。
【００１２】
請求項３の発明は、ストラテジ設定手段は、イレースパワー変更ステップにおいて、ピークパワー変更ステップで変更された後のストラテジのうちのイレースパワーを複数の異なるイレースパワーに変更して、各イレースパワーのストラテジで、記録手段によりテスト用の記録データの初回の記録を行うと共に少なくとも２回の上書き記録を行い、これらのテスト用の記録データを読取手段により読取って、そのときに読取手段から出力される受光信号のジッタに基いて記録品質を評価して、１回目の上書き記録時のジッタが１２％未満で、初回の記録時のジッタ及び２回目の上書き記録時のジッタが１回目の上書き記録時のジッタよりも良いときのイレースパワーのうち、１回目の上書き記録時のジッタが最も良いときのイレースパワーを、最も優れた記録品質が得られるイレースパワーとするものである。
【００１３】
請求項４の発明は、ストラテジ設定手段は、トップパルス幅変更ステップにおいて、読取手段から出力される受光信号のジッタ及び変調度に基いて記録品質を評価して、最も優れた記録品質が得られるトップパルス幅を求めるものである。
【００１４】
請求項５の発明は、ストラテジ設定手段は、トップパルス幅変更ステップにおいて、読取手段から出力される受光信号のジッタ及び変調度が最小となるときのトップパルス幅を、最も優れた記録品質が得られるトップパルス幅とし、ジッタが最小となるときのトップパルス幅と変調度が最小となるときのトップパルス幅とが異なる場合には、ジッタが最小となるときのトップパルス幅を、最も優れた記録品質が得られるトップパルス幅とするものである。
【００１５】
請求項６の発明は、ストラテジ設定手段は、マルチパルス幅変更ステップにおいて、読取手段から出力される受光信号のジッタ及び変調度に基いて記録品質を評価して、最も優れた記録品質が得られるトップパルス幅を求めるものである。
【００１６】
請求項７の発明は、ストラテジ設定手段は、マルチパルス幅変更ステップにおいて、読取手段から出力される受光信号のジッタ及び変調度が最小となるときのマルチパルス幅を、最も優れた記録品質が得られるマルチパルス幅とし、ジッタが最小となるときのマルチパルス幅と変調度が最小となるときのマルチパルス幅とが異なる場合には、変調度が最小となるときのマルチパルス幅を、最も優れた記録品質が得られるマルチパルス幅とするものである。
【００１７】
請求項８の発明は、ストラテジ設定手段は、クーリングパルス幅変更ステップにおいて、読取手段から出力される受光信号のアシンメトリに基いて記録品質を評価して、最も優れた記録品質が得られるクーリングパルス幅を求めるものである。
【００１８】
請求項９の発明は、ストラテジ設定手段は、クーリングパルス幅変更ステップにおいて、読取手段から出力される受光信号のアシンメトリが最小となるときのクーリングパルス幅を、最も優れた記録品質が得られるクーリングパルス幅とするものである。
【発明の効果】
【００１９】
請求項１の発明によれば、記録データを記録するための記録光のストラテジは、予め定められた所定のストラテジのうち、まず、ピークパワーがより適切になるように変更され、次に、イレースパワーがより適切になるように変更され、再度、ピークパワーがより適切になるように変更され、その後、トップパルス幅がより適切になるように変更され、続いて、マルチパルス幅がより最適になるように変更され、最後に、クーリングパルス幅がより最適になるように変更されて、設定される。そして、このようにして記録光のストラテジが設定されることにより、記録光のストラテジをより適切に設定することができ、記録データの記録品質をより一層向上することができる。
【００２０】
請求項２の発明によれば、記録光のストラテジのうちのイレースパワーは、ジッタに基いて、より適切になるように変更される。これにより、記録光のストラテジをより適切に設定することができ、記録データの記録品質をより一層向上することができる。
【００２１】
請求項３の発明によれば、記録光のストラテジのうちのイレースパワーは、上書き回数とジッタとの関係に基いて、より適切になるように変更される。これにより、記録光のストラテジを、上書き性能も考慮して、より適切に設定することができ、記録データの記録品質をより一層向上することができる。
【００２２】
請求項４、５の発明によれば、記録光のストラテジのうちのトップパルス幅は、ジッタ及び変調度に基いて、より適切になるように変更される。これにより、記録光のストラテジをより適切に設定することができ、記録データの記録品質をより一層向上することができる。
【００２３】
請求項６、７の発明によれば、記録光のストラテジのうちのマルチパルス幅は、ジッタ及び変調度に基いて、より適切になるように変更される。これにより、記録光のストラテジをより適切に設定することができ、記録データの記録品質をより一層向上することができる。
【００２４】
請求項８、９の発明によれば、記録光のストラテジのうちのクーリングパルス幅は、アシンメトリに基いて、より適切になるように変更される。これにより、記録光のストラテジをより適切に設定することができ、記録データの記録品質をより一層向上することができる。
【図面の簡単な説明】
【００２５】
【図１】本発明の一実施形態に係るＤＶＤレコーダの概略構成を示す電気的ブロック構成図。
【図２】同ＤＶＤレコーダの光ディスクに記録データを記録するための記録データ信号、及び光ディスクに記録データを記録するための記録光のストラテジを示す図。
【図３】同ＤＶＤレコーダのストラテジ設定動作を示すフローチャート。
【図４】同ＤＶＤレコーダのストラテジ設定動作のイレースパワー変更ステップにおける記録品質の評価指標であるテスト用の記録データの上書き回数とジッタとの関係を示す図。
【発明を実施するための形態】
【００２６】
以下、本発明を具体化した実施形態による光ディスク記録読取装置について図面を参照して説明する。図１は、本実施形態による光ディスク記録読取装置であるＤＶＤレコーダの構成を示す。ＤＶＤレコーダ１は、光ディスク２に対して記録データの記録、読取を行う装置である。ＤＶＤレコーダ１は、光ディスク２として、例えば、ＤＶＤ−ＲＷ、ＤＶＤ＋ＲＷ等の相変化型の書換え可能なＤＶＤを扱い、相変化型の書き換え可能なＤＶＤに対して記録データの記録、読取を行うようになっている。
【００２７】
ＤＶＤレコーダ１は、光ディスク２に記録光（記録データを記録するための光）を照射して、光ディスク２に周囲と異なる光の反射を起こす記録マーク及び周囲と同じ光の反射を起こす記録スペースを形成することにより、光ディスク２に記録データを記録するようになっている。また、ＤＶＤレコーダ１は、光ディスク２に読取光（記録データを読取るための読取光）を照射すると共に光ディスク２からの反射光を受光して、光ディスク２に形成されている記録マーク及び記録スペースを検出することにより、光ディスク２に記録されている記録データを読取るようになっている。
【００２８】
このＤＶＤレコーダ１は、記録光のストラテジ（記録光の特質）を設定するストラテジ設定動作を行うようになっており、ストラテジ設定動作において、テスト用の記録データを記録して記録品質を評価し、より優れた記録品質が得られる記録光のストラテジを求めて、記録光のストラテジをより適切に設定するようになっている。
【００２９】
ＤＶＤレコーダ１は、ディスクセンサ１１と、スピンドルモータ１２と、シークモータ１３と、光ヘッド１４と、レーザ駆動部１５と、チューナ１６と、映像／音声エンコーダ１７と、記録処理部１８と、再生処理部１９と、映像／音声デコーダ２０と、信号出力部２１とを備える。また、ＤＶＤレコーダ１は、変調度測定部２２と、ジッタ測定部２３と、アシンメトリ測定部２４と、ストラテジ設定メモリ２５と、リモコン２６と、リモコン受信部２７と、ＤＶＤレコーダ１を制御するためのＣＰＵ、ＲＯＭ、及びＲＡＭ等を含む制御部２８等を備える。制御部２８のＲＯＭには、ＤＶＤレコーダ１の動作を制御するためのプログラムや各種データが記憶されている。
【００３０】
光ディスク２は、ディスク挿入部（不図示）から挿入され、スピンドルモータ１２に装着される。ディスクセンサ１１は、ディスク挿入部から挿入された光ディスク２を検出して、ディスク挿入部から光ディスク２が挿入されたことを示すディスク検出信号を出力する。スピンドルモータ１２は、制御部２８による制御のもと、回転駆動され、装着された光ディスク２を回転させる。シークモータ１３は、制御部２８による制御のもと、光ヘッド１４を光ディスク２の半径方向に移動（シーク動作）させる。
【００３１】
光ヘッド１４は、光ディスク２に対して記録データの記録、読取を行うために、光ディスク２にレーザ光を照射すると共に、光ディスク２からの反射光を受光するものである。光ヘッド１４は、半導体レーザ（不図示）を備えており、半導体レーザによりレーザ光を発光して、そのレーザ光を光ディスク２に照射するようになっている。また、光ヘッド１４は、フォトダイオード（不図示）を備えており、フォトダイオードにより光ディスク２からの反射光を受光して、その受光強度（光ディスク２からの反射光強度）に対応する受光信号を出力するようになっている。レーザ駆動部１５は、制御部２８による制御のもと、光ヘッド１４の半導体レーザを発光駆動する。
【００３２】
光ヘッド１４は、制御部２８による制御のもと、レーザ駆動１５によって半導体レーザが発光駆動されることにより、記録データを記録するためのレーザ光である記録光を光ディスク２に照射する。そして、光ヘッド１４は、スピンドルモータ１２により回転される光ディスク２に記録光を照射して、光ディスク２に周囲と異なる光の反射を起こす（周囲よりも光の反射率の低い）記録マーク及び周囲と同じ光の反射を起こす（記録マークよりも光の反射率の高い）記録スペースを形成することにより、光ディスク２に記録データを記録する。記録マーク及び記録スペースは、光ディスク２に照射された記録光によって、光ディスク２の記録光の照射された箇所の記録層材質が相変化を起すことにより形成される。
【００３３】
記録マークは、ｍＴマーク（ｍ＝３，４，５，・・・，１４）と呼ばれる、Ｔを単位長として長さの異なる複数種のものがある。記録スペースは、各記録マークの間に設けられ、記録スペースにも、ｎＴスペース（ｎ＝３，４，５，・・・，１４）と呼ばれる、Ｔを単位長として長さの異なる複数種のものがある。光ヘッド１４は、スピンドルモータ１２により回転される光ディスク２に記録光（記録データを記録するためのレーザ光）を照射して、これらｍＴマーク及びｎＴスペースを光ディスク２に配列して形成することにより、光ディスク２に記録データを記録する。光ヘッド１４により記録手段が構成されている。
【００３４】
また、光ヘッド１４は、制御部２８による制御のもと、レーザ駆動１５によって半導体レーザが発光駆動されることにより、記録データを読取るためのレーザ光である読取光を光ディスク２に照射する。そして、光ヘッド１４は、スピンドルモータ１２により回転される光ディスク２に読取光を照射すると共に光ディスク２からの反射光を受光して、その受光強度に対応する受光信号を出力する。読取光のパワーは、記録光のパワーよりも弱められ、光ディスク２の記録層材質が相変化を起こさないパワーとされる。
【００３５】
光ヘッド１４から出力される受光信号は、光ディスク２からの反射光強度に対応した信号である。従って、光ヘッド１４から出力される受光信号は、光ヘッド１４からの読取光が記録スペースの形成箇所に照射されているときは、レベルが高く、光ヘッド１４からの読取光が記録マークの形成箇所に照射されているときは、レベルが低くなる。記録データが記録された光ディスク２には、多数の記録マーク及び記録スペースが形成されており、また、記録データの読取時には、光ディスク２が高速で回転している。従って、光ディスク２から記録データを読取ったときに光ヘッド１４から出力される受光信号は、記録マーク及び記録スペースの長さや配列に対応して振幅する（レベルが変化する）信号となる。
【００３６】
すなわち、光ヘッド１４は、スピンドルモータ１２により回転される光ディスク２に読取光を照射すると共に光ディスク２からの反射光を受光して、光ディスク２からの反射光強度に基いて、光ディスク２に形成されている記録マーク及び記録スペースの長さや配列を検出して、光ディスク２に記録されている記録データを読取り、そして、光ディスク２に形成されている記録マーク及び記録スペースの長さや配列に対応して振幅する（光ディスク２からの反射光強度に対応する）受光信号を出力する。光ヘッド１４により読取手段が構成されている。
【００３７】
チューナ１６は、制御部２８による制御のもと、テレビ放送信号を受信し、その受信したテレビ放送信号を復調処理、Ａ／Ｄ変換処理、デコード処理等して、テレビ放送信号に基く映像信号及び音声信号を生成する。映像／音声エンコーダ１７は、チューナ１６により生成された映像信号及び音声信号を光ディスク２に記録する記録データとして符号化する。すなわち、映像／音声エンコーダ１７は、チューナ１６により生成された映像信号及び音声信号を符号化して、光ディスク２に記録する記録データ（映像信号を符号化した映像データ及び音声信号を符号化した音声データ）を生成する。
【００３８】
記録処理部１８は、映像／音声エンコーダ１７により生成された記録データに基いて、記録マーク及び記録スペースの長さや配列に対応した記録データ信号を生成する。この記録データ信号に基いて、光ディスク２に記録データが記録されることにより、チューナ１６により受信したテレビ放送信号に基く映像及び音声が光ディスク２に録画、録音される。
【００３９】
再生処理部１９は、光ヘッド１４から出力される受光信号に基いて、光ディスク２に記録されている記録データを再生し、記録データを再生した再生データを生成する。映像／音声デコーダ２０は、再生処理部１９により生成された再生データを復号して、映像信号及び音声信号を生成する。
【００４０】
信号出力部２１は、制御部２８による制御のもと、チューナ１６により生成された映像信号及び音声信号、又は、映像／音声デコーダ２０により生成された映像信号及び音声信号を、選択的に出力する。信号出力部２１から出力された映像信号及び音声信号は、外部機器９０に供給され、外部機器９０のディスプレイ９１に映像が表示されると共に、外部機器９０のスピーカ９２から音声が出力される。
【００４１】
変調度測定部２２は、光ヘッド１４から出力される受光信号の変調度を測定する。ジッタ測定部２３は、光ヘッド１４から出力される受光信号のジッタを測定する。アシンメトリ測定部２４は、光ヘッド１４から出力される受光信号のアシンメトリを測定する。変調度とは、受光信号のピークレベルに対するボトムレベルの比（記録スペースに対応する受光信号の振幅レベルに対する記録マークに対応する受光信号の振幅レベルの比）で表わされる量である。ジッタとは、受光信号の時間軸上の位置誤差（進み、遅れ）であり、受光信号と同期クロック信号との位相差で表わされる量である。アシンメトリとは、受光信号の振幅の非対称性であり、最長記録マークに対応する受光信号の振幅中心と最短記録マークに対応する受光信号の振幅中心との差で表わされる量である。
【００４２】
ストラテジ設定メモリ２５は、制御部２８による制御のもと、ストラテジ設定動作おいて設定されたストラテジを示すデータを記憶する。リモコン２６は、ＤＶＤレコーダ１の各種動作を指示するためにユーザに操作される各種操作キーを備えており、各種操作キーが操作されることにより、その操作内容を示す操作信号を送信する。リモコン受信部２７は、リモコン２６から送信された無線信号を受信して、リモコン２６の操作内容を示すリモコン受信信号を出力する。
【００４３】
制御部２８は、リモコン受信部２７から出力されるリモコン受信信号に基いて、リモコン２６の操作内容を判断すると共に、ディスクセンサ１１から出力されるディスク検出信号に基いて、光ディスク２が挿入されたか否かを判断する。そして、制御部２８は、光ディスク２に記録データを記録する記録動作、光ディスク２に記録されている記録データを読取る読取動作、光ディスク２に記録データを記録するための記録光のストラテジを設定するストラテジ設定動作等、ＤＶＤレコーダ１の各種動作を制御する。
【００４４】
ストラテジ設定動作は、制御部２８による制御のもと、例えば、光ディスク２が挿入されたときや、記録処理部１８により生成された記録データ信号に基いて光ディスク２に記録データを記録する（すなわち、チューナ１６により受信したテレビ放送信号に基く映像及び音声を光ディスク２に録画、録音する）ときの直前（リモコン２６による記録指示がなされたときやタイマ予約により記録開始するとき等）に自動的に行われる。ストラテジ設定動作では、光ディスク２のＰＣＡ（Power Calibration Area）領域に複数の異なるストラテジの記録光でテスト用の記録データが記録されると共に、それらのテスト用の記録データが読取られて、各ストラテジの記録光での記録品質が評価され、より優れた記録品質が得られるストラテジが設定される。
【００４５】
図２は、上記記録処理部１８により生成される、光ディスク２に記録データを記録するための記録データ信号、及び上記光ヘッド１４から出射される、光ディスク２に記録データを記録するための記録光のストラテジを示す。図２に示す記録データ信号及び記録光のストラテジは、８Ｔマーク、３Ｔスペース、３Ｔマークの配列を形成するときのものである。
【００４６】
記録データ信号は、ハイ及びローの２値の信号であり、光ディスク２に形成しようとする記録マーク及び記録スペースの配列と、各記録マーク及び各記録スペースの長さに対応した信号である。すなわち、記録データ信号は、各ハイ区間の長さが記録マークの長さに対応し、各ロー区間の長さが記録スペースの長さに対応し、ハイ区間及びロー区間の順番が記録マーク及び記録スペースの配列に対応している。
【００４７】
記録光は、光ディスク２に記録マークを形成するためのマーク形成光５０と、光ディスク２に既に形成されている記録マークを消去して光ディスク２に記録スペースを形成するためのイレース光６０とを含んでいる。また、マーク形成光５０は、パルス変調されたパルス変調光であり、先頭のトップパルス５１と、トップパルス５１に続くマルチパルス５２と、最後尾のクーリングパルス５３とを含んでいる。トップパルス５１は、マーク形成光５０の先頭に１つ設けられるパルスである。マルチパルス５２は、記録マークの長さに応じて異なる個数設けられるパルスであり、ｍＴマーク（ｍ＝３，４，５，・・・，１４）に対してｍ−２個設けられる（従って、３Ｔマークの場合は1個設けられ、８Ｔマークの場合は6個設けられる）パルスである。クーリングパルス５３は、記録光５０の最後尾に１つ設けられるパルスである。
【００４８】
制御部２８は、記録光のストラテジとして、マーク形成光５０のトップパルス５１及びマルチパルス５２のパワーであるピークパワーＰｏと、イレース光６０のパワーであるイレースパワーＰｅと、トップパルス５１のパルス幅であるトップパルス幅Ｔｔｏｐと、マルチパルス５２のパルス幅であるマルチパルス幅Ｔｍｐと、クーリングパルス５３のパルス幅であるクーリングパルス幅Ｔｃｌとを設定する。制御部２８により、ストラテジ設定手段が構成されている。
【００４９】
そして、制御部２８は、光ディスク２に記録データを記録するとき、記録光のストラテジが制御部２８により設定したストラテジとなるように、レーザ駆動部１５を制御する。従って、光ヘッド１４は、記録光として、制御部２８により設定されたストラテジの記録光を光ディスク２に照射して、光ディスク２に記録データを記録する。
【００５０】
図３は、上記ＤＶＤレコーダ１のストラテジ設定動作のフローチャートを示す。ストラテジ設定動作では、まず、制御部２８は、光ヘッド１４により光ディスク２に記録されている推奨ストラテジデータ（光ディスク２がＤＶＤ−ＲＷの場合は、ＬＰＰデータ、光ディスク２がＤＶＤ＋ＲＷの場合は、ＡＤＩＰデータ）を読取って、その推奨ストラテジデータに基いて、記録光のストラテジを予め定められた所定のストラテジに設定する（ストラテジ初期設定ステップ）（＃１）。
【００５１】
光ディスク２に記録されている推奨ストラテジデータは、各製造メーカ毎に適切であるとするストラテジを示したデータであり、光ディスク２には、推奨ストラテジデータとして、記録光のピークパワーＰｏとイレースパワーＰｅとバイアスパワーＰｂとの関係を示すパワーパラメータε［ε＝（Ｐｅ−Ｐｂ）／（Ｐｏ−Ｐｂ）］、トップパルス幅Ｔｔｏｐ、マルチパルス幅Ｔｍｐ、クーリングパルス幅Ｔｃｌが予め記録されている。
【００５２】
すなわち、制御部２８は、記録光のストラテジのうちのピークパワーＰｏの値、イレースパワーＰｅの値、及びバイアスパワーＰｂを、光ディスク２から読取った推奨ストラテジデータの示すパワーパラメータεを満たすように設定する。また、制御部２８は、記録光のストラテジのうちのトップパルス幅Ｔｔｏｐ、マルチパルス幅Ｔｍｐ、及びクーリングパルス幅Ｔｃｌを、それぞれ、光ディスク２から読取った推奨ストラテジデータの示すトップパルス幅Ｔｔｏｐ、マルチパルス幅Ｔｍｐ、及びクーリングパルス幅Ｔｃｌに設定する。
【００５３】
そして、制御部２８は、複数の異なるピークパワーＰｏの記録光でテスト用の記録データを記録して記録品質を評価し、ピークパワーＰｏを、最も優れた記録品質のピークパワーＰｏに変更する（ピークパワー変更ステップ）（＃２）。
【００５４】
すなわち、制御部２８は、上記＃１の処理（ストラテジ初期設定ステップ）により設定されたストラテジのうちのピークパワーＰｏを複数の異なるピークパワーＰｏに変更して、光ヘッド１４によりテスト用の記録データを記録し、これらのテスト用の記録データを光ヘッド１４により読取って、そのときに光ヘッド１４から出力される受光信号に基いて記録品質を評価して、最も優れた記録品質が得られるピークパワーＰｏを求め、上記＃１の処理（ストラテジ初期設定ステップ）により設定されたストラテジのうちのピークパワーＰｏを、最も優れた記録品質が得られるピークパワーＰｏに変更する。これにより、ピークパワーＰｏがより適切になるように変更される。
【００５５】
この＃２の処理において、制御部２８は、テスト用の記録データを読取ったときに光ヘッド１４から出力される受光信号の変調度（変調度測定部２２により測定される変調度）に基いて記録品質を評価して、最も優れた記録品質が得られるピークパワーＰｏを求める。
【００５６】
このとき、制御部２８は、テスト用の記録データを読取ったときに光ヘッド１４から出力される受光信号の変調度が最小となるときのピークパワーＰｏを、最も優れた記録品質が得られるピークパワーＰｏとする。
【００５７】
具体的には、制御部２８は、上記＃１の処理（ストラテジ初期設定ステップ）により設定されたストラテジのパワーパラメータεをεｉとすると、バイアスパワーＰｂとイレースパワーＰｅを固定した状態で、パワーパラメータεがε＝０．９８×εｉ、０．９９×εｉ、εｉ、１．０１×εｉ、１．０２×εｉの５段階に変化するように、ピークパワーＰｏを５段階に変更して、各ピークパワーＰｏのストラテジでテスト用の記録データを記録する。そして、制御部２８は、これらのテスト用の記録データを読取ったときに光ヘッド１４から出力される受光信号の変調度に基いて記録品質を評価する。記録品質の評価の結果、制御部２８は、変調度が最小となるときのピークパワーＰｏを、最も優れた記録品質が得られるピークパワーＰｏとする。
【００５８】
次に、制御部２８は、複数の異なるイレースパワーＰｅの記録光でテスト用の記録データを記録して記録品質を評価し、イレースパワーＰｅを、最も優れた記録品質のイレースパワーＰｅに変更する（イレースパワー変更ステップ）（＃３）。
【００５９】
すなわち、制御部２８は、上記＃２の処理（ピークパワー変更ステップ）で変更された後のストラテジのうちのイレースパワーＰｅを複数の異なるイレースパワーＰｅに変更して、光ヘッド１４によりテスト用の記録データを記録し、これらのテスト用の記録データを光ヘッド１４により読取って、そのときに光ヘッド１４から出力される受光信号に基いて記録品質を評価して、最も優れた記録品質が得られるイレースパワーＰｅを求め、上記＃２の処理（ピークパワー変更ステップ）で変更された後のストラテジのうちのイレースパワーＰｅを、最も優れた記録品質が得られるイレースパワーＰｅに変更する。これにより、イレースパワーＰｅがより適切になるように変更される。
【００６０】
この＃３の処理において、制御部２８は、テスト用の記録データを読取ったときに光ヘッド１４から出力される受光信号のジッタ（ジッタ測定部２３により測定されるジッタ）に基いて記録品質を評価して、最も優れた記録品質が得られるイレースパワーＰｅを求める。
【００６１】
このとき、制御部２８は、複数の異なるイレースパワーＰｅのストラテジで、光ヘッド１４によりテスト用の記録データの初回の記録を行うと共に複数回の上書き記録を行い、これらのテスト用の記録データを光ヘッド１４により読取って、そのときに光ヘッド１４から出力される受光信号のジッタに基いて記録品質を評価して、最も優れた記録品質が得られるイレースパワーＰｅを求める。
【００６２】
具体的には、制御部２８は、上記＃２の処理（ピークパワー変更ステップ）で変更された後のストラテジのパワーパラメータεをεｉとすると、バイアスパワーＰｂとピークパワーＰｏを固定した状態で、パワーパラメータεがε＝０．９８×εｉ、０．９９×εｉ、εｉ、１．０１×εｉ、１．０２×εｉの５段階に変化するように、イレースパワーＰｅを５段階に変更して、各イレースパワーＰｅのストラテジでテスト用の記録データの初回の記録を行うと共に１０回の上書き記録を行う。テスト用の記録データの読取は、初回の記録時、1回目の上書き記録時、２回目の上書き記録時、及び１０回目の上書き記録時の合計４回行う。つまり、初回の記録時、1回目の上書き記録時、２回目の上書き記録時、及び１０回目の上書き記録時の合計４つのテスト用の記録データを読取る。そして、制御部２８は、これらのテスト用の記録データを読取ったときに光ヘッド１４から出力される受光信号のジッタに基いて、図４に示すように、上書き回数ｖｓジッタ曲線で記録品質を評価する。記録品質の評価の結果、制御部２８は、１回目の上書き記録時のジッタが１２％未満で、初回の記録時のジッタ及び２回目の上書き記録時のジッタが１回目の上書き記録時のジッタよりも小さいと共に、１０回目の上書き記録時のジッタが２回目の上書き記録時のジッタよりも小さいときのイレースパワーＰｅのうち、１回目の上書き記録時のジッタが最も小さいときのイレースパワーＰｅを、最も優れた記録品質が得られるイレースパワーＰｅとする。
【００６３】
次に、制御部２８は、再び、複数の異なるピークパワーＰｏの記録光でテスト用の記録データを記録して記録品質を評価し、ピークパワーＰｏを、最も優れた記録品質のピークパワーＰｏに変更する（ピークパワー再変更ステップ）（＃４）。
【００６４】
すなわち、制御部２８は、上記＃３の処理（イレースパワー変更ステップ）で変更された後のストラテジのうちのピークパワーＰｏを複数の異なるピークパワーＰｏに変更して、光ヘッド１４によりテスト用の記録データを記録し、これらのテスト用の記録データを光ヘッド１４により読取って、そのときに光ヘッド１４から出力される受光信号に基いて記録品質を評価して、最も優れた記録品質が得られるピークパワーＰｏを求め、上記＃３の処理（イレースパワー変更ステップ）で変更された後のストラテジのうちのピークパワーＰｏを、最も優れた記録品質が得られるピークパワーＰｏに変更する。これにより、再度、ピークパワーＰｏがより適切になるように変更される。
【００６５】
この＃４の処理において、制御部２８は、上記＃２の処理と同様に、テスト用の記録データを読取ったときに光ヘッド１４から出力される受光信号の変調度に基いて記録品質を評価し、変調度が最小となるときのピークパワーＰｏを、最も優れた記録品質が得られるピークパワーＰｏとする。
【００６６】
具体的には、制御部２８は、上記＃３の処理（イレースパワー変更ステップ）で変更された後のストラテジのパワーパラメータεをεｉとすると、バイアスパワーＰｂとイレースパワーＰｅを固定した状態で、パワーパラメータεがε＝０．９８×εｉ、０．９９×εｉ、εｉ、１．０１×εｉ、１．０２×εｉの５段階に変化するように、ピークパワーＰｏを５段階に変更して、各ピークパワーＰｏのストラテジでテスト用の記録データを記録する。そして、制御部２８は、これらのテスト用の記録データを読取ったときに光ヘッド１４から出力される受光信号の変調度に基いて記録品質を評価する。記録品質の評価の結果、制御部２８は、変調度が最小となるときのピークパワーＰｏを、最も優れた記録品質が得られるピークパワーＰｏとする。
【００６７】
次に、制御部２８は、複数の異なるトップパルス幅Ｔｔｏｐの記録光でテスト用の記録データを記録して記録品質を評価し、トップパルス幅Ｔｔｏｐを、最も優れた記録品質のトップパルス幅Ｔｔｏｐに変更する（トップパルス幅変更ステップ）（＃５）。
【００６８】
すなわち、制御部２８は、上記＃４の処理（ピークパワー再変更ステップ）で変更された後のストラテジのうちのトップパルス幅Ｔｔｏｐを複数の異なるトップパルス幅Ｔｔｏｐに変更して、光ヘッド１４によりテスト用の記録データを記録し、これらのテスト用の記録データを光ヘッド１４により読取って、そのときに光ヘッド１４から出力される受光信号に基いて記録品質を評価して、最も優れた記録品質が得られるトップパルス幅Ｔｔｏｐを求め、上記＃４の処理（ピークパワー再変更ステップ）で変更された後のストラテジのうちのトップパルス幅Ｔｔｏｐを、最も優れた記録品質が得られるトップパルス幅Ｔｔｏｐに変更する。これにより、トップパルス幅Ｔｔｏｐがより適切になるように変更される。
【００６９】
この＃５の処理において、制御部２８は、テスト用の記録データを読取ったときに光ヘッド１４から出力される受光信号のジッタ（ジッタ測定部２３により測定されるジッタ）及び変調度（変調度測定部２２により測定される変調度）に基いて記録品質を評価して、最も優れた記録品質が得られるトップパルス幅Ｔｔｏｐを求める。
【００７０】
このとき、制御部２８は、テスト用の記録データを読取ったときに光ヘッド１４から出力される受光信号のジッタ及び変調度が最小となるときのトップパルス幅Ｔｔｏｐを、最も優れた記録品質が得られるトップパルス幅Ｔｔｏｐとし、ジッタが最小となるときのトップパルス幅Ｔｔｏｐと変調度が最小となるときのトップパルス幅Ｔｔｏｐとが異なる場合には、ジッタが最小となるときのトップパルス幅Ｔｔｏｐを、最も優れた記録品質が得られるトップパルス幅Ｔｔｏｐとする。
【００７１】
具体的には、制御部２８は、上記＃４の処理（ピークパワー再変更ステップ）で変更された後のストラテジのトップパルス幅ＴｔｏｐをＴｉとすると、トップパルス幅ＴｔｏｐをＴｔｏｐ＝Ｔｉ−０．０４×Ｔ、Ｔｉ−０．０２×Ｔ、Ｔｉ、Ｔｉ＋０．０２×Ｔ、Ｔｉ＋０．０４×Ｔの５段階（Ｔは、記録マーク及び記録スペースの単位長）に変更して、各トップパルス幅Ｔｔｏｐのストラテジの記録光でテスト用の記録データを記録する。そして、制御部２８は、これらのテスト用の記録データを読取ったときに光ヘッド１４から出力される受光信号のジッタ及び変調度に基いて記録品質を評価する。記録品質の評価の結果、制御部２８は、ジッタ及び変調度が最小となるときのトップパルス幅Ｔｔｏｐを、最も優れた記録品質が得られるトップパルス幅Ｔｔｏｐとし、ジッタが最小となるときのトップパルス幅Ｔｔｏｐと変調度が最小となるときのトップパルス幅Ｔｔｏｐとが異なる場合には、ジッタが最小となるときのトップパルス幅Ｔｔｏｐを、最も優れた記録品質が得られるトップパルス幅Ｔｔｏｐとする。
【００７２】
次に、制御部２８は、複数の異なるマルチパルス幅Ｔｍｐの記録光でテスト用の記録データを記録して記録品質を評価し、マルチパルス幅Ｔｍｐを、最も優れた記録品質のマルチパルス幅Ｔｍｐに変更する（マルチパルス幅変更ステップ）（＃６）。
【００７３】
すなわち、制御部２８は、上記＃５の処理（トップパルス幅変更ステップ）で変更された後のストラテジのうちのマルチパルス幅Ｔｍｐを複数の異なるマルチパルス幅Ｔｍｐに変更して、光ヘッド１４によりテスト用の記録データを記録し、これらのテスト用の記録データを光ヘッド１４により読取って、そのときに光ヘッド１４から出力される受光信号に基いて記録品質を評価して、最も優れた記録品質が得られるマルチパルス幅Ｔｍｐを求め、上記＃５の処理（トップパルス幅変更ステップ）で変更された後のストラテジのうちのマルチパルス幅Ｔｍｐを、最も優れた記録品質が得られるマルチパルス幅Ｔｍｐに変更する。これにより、マルチパルス幅Ｔｍｐがより適切になるように変更される。
【００７４】
この＃６の処理において、制御部２８は、テスト用の記録データを読取ったときに光ヘッド１４から出力される受光信号のジッタ（ジッタ測定部２３により測定されるジッタ）及び変調度（変調度測定部２２により測定される変調度）に基いて記録品質を評価して、最も優れた記録品質が得られるマルチパルス幅Ｔｍｐを求める。
【００７５】
このとき、制御部２８は、テスト用の記録データを読取ったときに光ヘッド１４から出力される受光信号のジッタ及び変調度が最小となるときのマルチパルス幅Ｔｍｐを、最も優れた記録品質が得られるマルチパルス幅Ｔｍｐとし、ジッタが最小となるときのマルチパルス幅Ｔｍｐと変調度が最小となるときのマルチパルス幅Ｔｍｐとが異なる場合には、変調度が最小となるときのマルチパルス幅Ｔｍｐを、最も優れた記録品質が得られるマルチパルス幅Ｔｍｐとする。
【００７６】
具体的には、制御部２８は、上記＃５の処理（トップパルス幅変更ステップ）で変更された後のストラテジのマルチパルス幅ＴｍｐをＴｉとすると、マルチパルス幅ＴｍｐをＴｍｐ＝Ｔｉ−０．０４×Ｔ、Ｔｉ−０．０２×Ｔ、Ｔｉ、Ｔｉ＋０．０２×Ｔ、Ｔｉ＋０．０４×Ｔの５段階（Ｔは、記録マーク及び記録スペースの単位長）に変更して、各マルチパルス幅Ｔｍｐのストラテジの記録光でテスト用の記録データを記録する。そして、制御部２８は、これらのテスト用の記録データを読取ったときに光ヘッド１４から出力される受光信号のジッタ及び変調度に基いて記録品質を評価する。記録品質の評価の結果、制御部２８は、ジッタ及び変調度が最小となるときのマルチパルス幅Ｔｍｐを、最も優れた記録品質が得られるマルチパルス幅Ｔｍｐとし、ジッタが最小となるときのマルチパルス幅Ｔｍｐと変調度が最小となるときのマルチパルス幅Ｔｍｐとが異なる場合には、変調度が最小となるときのマルチパルス幅Ｔｍｐを、最も優れた記録品質が得られるマルチパルス幅Ｔｍｐとする。
【００７７】
最後に、制御部２８は、複数の異なるクーリングパルス幅Ｔｃｌの記録光でテスト用の記録データを記録して記録品質を評価し、クーリングパルス幅Ｔｃｌを、最も優れた記録品質のクーリングパルス幅Ｔｃｌに変更する（クーリングパルス幅変更ステップ）（＃７）。
【００７８】
すなわち、制御部２８は、上記＃６の処理（マルチパルス幅変更ステップ）で変更された後のストラテジのうちのクーリングパルス幅Ｔｃｌを複数の異なるクーリングパルス幅Ｔｃｌに変更して、光ヘッド１４によりテスト用の記録データを記録し、これらのテスト用の記録データを光ヘッド１４により読取って、そのときに光ヘッド１４から出力される受光信号に基いて記録品質を評価して、最も優れた記録品質が得られるクーリングパルス幅Ｔｃｌを求め、上記＃６の処理（マルチパルス幅変更ステップ）で変更された後のストラテジのうちのクーリングパルス幅Ｔｃｌを、最も優れた記録品質が得られるクーリングパルス幅Ｔｃｌに変更する。これにより、クーリングパルス幅Ｔｃｌがより適切になるように変更される。
【００７９】
この＃７の処理において、制御部２８は、テスト用の記録データを読取ったときに光ヘッド１４から出力される受光信号のアシンメトリ（アシンメトリ測定部２４により測定されるアシンメトリ）に基いて記録品質を評価して、最も優れた記録品質が得られるクーリングパルス幅Ｔｃｌを求める。
【００８０】
このとき、制御部２８は、テスト用の記録データを読取ったときに光ヘッド１４から出力される受光信号のアシンメトリが最小となるときのクーリングパルス幅Ｔｃｌを、最も優れた記録品質が得られるクーリングパルス幅Ｔｃｌとする。
【００８１】
具体的には、制御部２８は、上記＃６の処理（マルチパルス幅変更ステップ）で変更された後のストラテジのクーリングパルス幅ＴｃｌをＴｃｌ＝Ｔｉとすると、クーリングパルス幅ＴｃｌをＴｃｌ＝Ｔｉ−０．０４×Ｔ、Ｔｉ−０．０２×Ｔ、Ｔｉ、Ｔｉ＋０．０２×Ｔ、Ｔｉ＋０．０４×Ｔの５段階（Ｔは、記録マーク及び記録スペースの単位長）に変更して、各クーリングパルス幅Ｔｃｌのストラテジの記録光でテスト用の記録データを記録する。そして、制御部２８は、これらのテスト用の記録データを読取ったときに光ヘッド１４から出力される受光信号のアシンメトリに基いて記録品質を評価する。記録品質の評価の結果、制御部２８は、アシンメトリが最小となるときのクーリングパルス幅Ｔｃｌを、最も優れた記録品質が得られるクーリングパルス幅Ｔｃｌとする。
【００８２】
以上の＃１〜＃７の処理により、記録光のストラテジが設定され、ストラテジ設定動作が完了する。ストラテジ設定動作は、このようにして行われる。
【００８３】
このような構成のＤＶＤレコーダ１によれば、記録光のストラテジは、予め定められた所定のストラテジ（光ディスク２に記録されている推奨ストラテジデータの示すストラテジ）のうち、まず、ピークパワーＰｏがより適切になるように変更され、次に、イレースパワーＰｅがより適切になるように変更され、再度、ピークパワーＰｏがより適切になるように変更され、その後、トップパルス幅Ｔｔｏｐがより適切になるように変更され、続いて、マルチパルス幅Ｔｍｐがより最適になるように変更され、最後に、クーリングパルス幅Ｔｃｌがより最適になるように変更されて、設定される。そして、このような順序でピークパワーＰｏ、イレースパワーＰｅ、トップパルス幅Ｔｔｏｐ、マルチパルス幅Ｔｍｐ、及びクーリングパルス幅Ｔｃｌが変更されて、記録光のストラテジが設定されることにより、記録光のストラテジをより適切に設定することができ、これにより、記録データの記録品質をより一層向上することができる。
【００８４】
また、記録光のストラテジのうちのイレースパワーＰｅは、ジッタに基いて、より適切になるように変更される。これにより、記録光のストラテジをより適切に設定することができ、記録データの記録品質をより一層向上することができる。
【００８５】
しかも、記録光のストラテジのうちのイレースパワーＰｅは、上書き回数とジッタとの関係に基いて、より適切になるように変更される。これにより、記録光のストラテジを、上書き性能も考慮して、より適切に設定することができ、記録データの記録品質をより一層向上することができる。
【００８６】
また、記録光のストラテジのうちのトップパルス幅Ｔｔｏｐは、ジッタ及び変調度に基いて、より適切になるように変更される。これにより、記録光のストラテジをより適切に設定することができ、記録データの記録品質をより一層向上することができる。また、記録光のストラテジのうちのマルチパルス幅Ｔｍｐは、ジッタ及び変調度に基いて、より適切になるように変更される。これにより、記録光のストラテジをより適切に設定することができ、記録データの記録品質をより一層向上することができる。また、記録光のストラテジのうちのクーリングパルス幅Ｔｃｌは、アシンメトリに基いて、より適切になるように変更される。これにより、記録光のストラテジをより適切に設定することができ、記録データの記録品質をより一層向上することができる。
【００８７】
なお、本発明は、上記実施形態の構成に限られず、種々の変形が可能である。例えば、イレースパワー変更ステップにおいて、テスト用の記録データの１０回の上書き記録に限られず、２回の上書き記録を行うようにしてもよい。この場合、１回目の上書き記録時のジッタが１２％未満で、初回の記録時のジッタ及び２回目の上書き記録時のジッタが１回目の上書き記録時のジッタよりも小さいイレースパワーのうち、１回目の上書き記録時のジッタが最も小さいときのイレースパワーを、最も優れた記録品質が得られるイレースパワーとすればよい。また、本発明は、例えば、ＣＤ−ＲＷ、ＤＶＤ−ＲＡＭ等の相変化型の書換え可能な光ディスクに対して記録データの記録、読取を行う装置にも適用可能である。
【符号の説明】
【００８８】
１    ＤＶＤレコーダ（光ディスク記録読取装置）
２    光ディスク
１１    ディスクセンサ
１２    スピンドルモータ
１３    シークモータ
１４    光ヘッド（記録手段、読取手段）
１５    レーザ駆動部
１６    チューナ
１７    映像／音声エンコーダ
１８    記録処理部
１９    再生処理部
２０    映像／音声デコーダ
２１    信号出力部
２２    変調度測定部
２３    ジッタ測定部
２４    アシンメトリ測定部
２５    ストラテジ設定メモリ
２６    リモコン
２７    リモコン受信部
２８    制御部（ストラテジ設定手段）
【図１】
2010211840.tif 000003
【図２】
2010211840.tif 000004
【図３】
2010211840.tif 000005
【図４】
2010211840.tif 000006